(57)【要約】【課題】  本発明の課題は、結束紐が絡みにくく連続して結束紐を供給できる結束紐供給装置を提供することである。【解決手段】  本発明の結束紐供給装置１は、パレット４等に積載された飲料製品の梱包を自動的に行う結束機１０に対して結束紐３を供給するものであり、結束紐３をロール状に巻いた巻き束５を収納する複数のホルダ７と、ホルダ７を保持するホルダ台９とを備え、ホルダ台９は円盤状であって、ホルダ７はホルダ台９の円周方向に設けている。【選択図】      図１
2005231652.tif 000002
【特許請求の範囲】
【請求項１】
結束紐をロール状に巻いた巻き束を収納する複数のホルダと、ホルダを保持するホルダ台とを備え、ホルダ台は円盤状であって、ホルダはホルダ台の円周方向に設けていることを特徴とする結束紐供給装置。
【請求項２】
ホルダ台は回転可能であり、各ホルダの側面にホルダ台の回し操作をする取手を設けたことを特徴とする請求項１に記載の結束紐供給装置。
【請求項３】
ホルダ台には回転を規制するストッパが設けてあることを特徴とする請求項１又は２に記載の結束紐供給装置。
【請求項４】
ホルダ台の略中央の上方にはホルダから供給された結束紐をガイドするガイド部材が設けられていることを特徴とする請求項１〜３の何れか一項に記載の結束紐供給装置。
【請求項５】
任意の一つのホルダの巻き束は始端を結束機に繋いでおり、終端を隣りのホルダの巻き束に繋いでいるとともに、隣り合うホルダの巻き束同士の始端と終端とを順次繋いでおり、最終のホルダの巻き束は終端が自由端であることを特徴とする請求項１〜４の何れか一項に記載の結束紐供給装置。
【発明の詳細な説明】
【技術分野】
【０００１】
本発明は、パレット等に積載された製品の梱包を行なう結束機に結束紐を供給する結束紐供給装置に関する。
【背景技術】
【０００２】
係る結束紐供給装置として、特許文献１に記載の従来技術では、ホルダ台上に結束紐をロール状に巻いた巻き束を横に複数並べて配置した構成が開示されている。
【０００３】
一方、図４はホルダを横に複数並べて配置した状態における、巻き束のセット作業を説明しており、図４（ａ）に示すように、ホルダ１０７にセットされた巻き束１０５から結束機に向けて結束紐１０３が繰り出され、結束紐１０３の繰り出しが終了すると、隣りのホルダ１０７から結束紐１０３が繰り出されるとともに、空になったホルダ１０７には新しい巻き束１０５をセットしていた。
【０００４】
【特許文献１】特開２００３−３１２６０７号公報
【発明の開示】
【発明が解決しようとする課題】
【０００５】
しかし、図４に記載の従来技術では、ホルダ１０７を横に並べて配置しているため、図４（ｃ）に示すように、一端側に新しくセットした巻き束１０５の結束紐１０３を、他端側に配置した巻き束１０５の結束紐１０３に繋ぐ必要があり、結束紐１０３がホルダ１０７から外にはみ出して絡みやすくなるという問題がある。
【０００６】
本発明は、結束紐が絡みにくく連続して結束紐を供給できる結束紐供給装置を提供することを目的とする。
【課題を解決するための手段】
【０００７】
前記課題を解決するために、請求項１に記載された発明は、結束紐をロール状に巻いた巻き束を収納する複数のホルダと、ホルダを保持するホルダ台とを備え、ホルダ台は円盤状であって、ホルダはホルダ台の円周方向に設けていることを特徴とする。
【０００８】
請求項２に記載された発明は、請求項１に記載の発明において、ホルダ台は回転可能であり、各ホルダの側面にホルダ台の回し操作をする取手を設けたことを特徴とする。
【０００９】
請求項３に記載された発明は、請求項２に記載の発明において、ホルダ台には回転を規制するストッパが設けてあることを特徴とする。
【００１０】
請求項４に記載された発明は、請求項１〜３の何れか一項に記載の発明において、ホルダ台の略中央の上方にはホルダから供給された結束紐をガイドするガイド部材が設けられていることを特徴とする。
【００１１】
請求項５に記載された発明は、請求項１〜４の何れか一項に記載の発明において、任意の一つのホルダの巻き束は始端を結束機に繋いでおり、終端を隣りのホルダの巻き束に繋いでいるとともに、隣り合うホルダの巻き束同士の始端と終端とを順次繋いでおり、最終のホルダの巻き束は終端が自由端であることを特徴とする。
【発明の効果】
【００１２】
請求項１に記載の発明によれば、ホルダ台にホルダを円周方向に設けることにより、新しくセットした巻き束の結束紐を隣りのホルダの巻き束に繋げることができ、結束紐が弛み難く結束紐が絡みにくい。
【００１３】
請求項２に記載された発明によれば、請求項１に記載された発明と同様の効果が得られるとともに、各ホルダの側面に取手を設けたので、ホルダ台を所定の位置まで容易に回転することができ、巻き束のセット作業が容易である。
【００１４】
請求項３に記載された発明によれば、請求項１又は２に記載された発明と同様の効果が得られるとともに、ホルダ台の回転を規制するストッパを設けたので、巻き束をホルダにセットする際にホルダ台が動かず、作業がし易い。
【００１５】
請求項４に記載された発明によれば、請求項１〜３の何れか一項に記載された発明と同様の効果が得られるとともに、ガイド孔がホルダ台の略中央の位置にあるので、各ホルダからガイド孔までの距離が等しく、繰り出しが終了した巻き束から次の巻き束へとスムーズに結束紐の繰り出しを移行することができ、結束紐が絡んだり、切れたりするのを防止できる。
【００１６】
請求項５に記載された発明によれば、請求項１〜４に記載された発明と同様の効果が得られるとともに、新しくセットした巻き束の始端を隣りのホルダにセットされた巻き束の終端に繋ぐことができ、結束紐が弛み難く結束紐が絡みにくい。
【発明を実施するための最良の形態】
【００１７】
以下に、添付図面を参照して、本発明の実施の形態を詳細に説明する。図１は本実施の形態に係る結束紐供給装置を示す斜視図、図２は結束紐供給装置及び結束機を示す平面図、図３は巻き束のセット作業を説明する斜視図であり、（ａ）はホルダから結束紐が繰り出される状態を示す図、（ｂ）は１つのホルダが空になった状態を示す図、（ｃ）は空になったホルダに巻き束をセットした状態を示す図である。
【００１８】
本発明の実施の形態に係る結束紐供給装置１は、パレット４等に積載された飲料製品の梱包を自動的に行なう結束機１０に対して結束紐３を供給するものである。結束紐供給装置１は、結束紐３をロール状に巻いた巻き束５を収納する円筒状のホルダ７とホルダ７を保持する円盤状のホルダ台９とを備えており、ホルダ台９は固定の支持台２１に載置されている。尚、１つの巻き束５に巻かれた結束紐３の長さは５５００ｍである。
【００１９】
また、ホルダ７はホルダ台９の円周方向に複数（本実施の形態では５つ）設けている。
【００２０】
ホルダ台９は固定支持台２１上に設けられた図示しないキャスタを介して回転可能になっている。また、各ホルダ７の側面にはホルダ台９の回し操作をする取手１１を設けており、巻き束５のセット作業時には、取手１１を操作して、ホルダ台９を所定の位置まで回転させている。
【００２１】
ホルダ台９にはホルダ台９の回転を規制するストッパ（係合ピン１３、係合孔１５）を設けてあり、巻き束５をホルダ７にセットする際には、係合ピン１３を係合孔１５に差し込むことでホルダ台９の回転移動を規制している。
【００２２】
ホルダ台９には上方に突設したアーム１７を設けてあり、略Ｌ字状に折れ曲がったアーム１７の先端にはホルダ７から供給された結束紐３をガイドするガイド孔１９を形成しており、ガイド孔１９はホルダ台９の略中央の真上位置に設けられている。
【００２３】
尚、結束紐供給装置１と結束機１０との間には、結束紐３の絡みを防止する絡み防止孔２３と結束紐３の弛みを防止する緩み防止リング２５が設けられている。
【００２４】
次に、本実施の形態に係る作用を説明する。結束紐供給装置１においては、図３（ａ）に示すように、ホルダ７にセットされた巻き束５から結束機１０に向けて結束紐３が繰り出される。繰り出された結束紐３はホルダ台９の上方に形成されたガイド孔１９を通過して、絡み防止孔２３及び緩み防止リング２５を通り結束機１０に送られる。結束機１０ではパレット４に積載された製品の側面に結束紐３が順次巻かれていく。
【００２５】
図３（ｂ）に示すように、使用中の巻き束５の結束紐３が無くなると、隣りのホルダ７にセットされた次の巻き束５から結束紐３の繰り出しが開始される。そして、図３（ｃ）に示すように、結束紐３が無くなって空になったホルダ７には新しく巻き束５をセットする。そして、新しくセットした巻き束５の結束紐３の始端は隣りのホルダ７にセットされた巻き束５の終端に繋ぐ。
【００２６】
このように、ホルダ台９にホルダ７を円周方向に設けることにより、新しくセットした巻き束の始端を隣りのホルダの巻き束の終端に繋げることができ、結束紐が弛み難く結束紐が絡みにくい。
【００２７】
尚、本発明は上述した実施の形態に限定されず、その要旨を逸脱しない範囲で種々の変形が可能である。
上述の実施の形態では、ホルダは円筒状に設けたが、これに限定されず、ホルダ台から軸が突設したものであっても良い。
【００２８】
また、ホルダ台に円周状に配置するホルダは５つに限らず、複数であればいくつであっても良い。
【図面の簡単な説明】
【００２９】
【図１】本実施の形態に係る結束紐供給装置を示す斜視図である。
【図２】結束紐供給装置及び結束機を示す平面図である。
【図３】巻き束のセット作業を説明する斜視図であり、（ａ）はホルダから結束紐が繰り出される状態を示す図、（ｂ）は１つのホルダが空になった状態を示す図、（ｃ）は空になったホルダに巻き束をセットした状態を示す図である。
【図４】従来例に係る巻き束のセット作業を説明する斜視図であり、（ａ）はホルダから結束紐が繰り出される状態を示す図、（ｂ）は１つのホルダが空になった状態を示す図、（ｃ）は空になったホルダに巻き束をセットした状態を示す図である。
【符号の説明】
【００３０】
１        結束紐供給装置
３        結束紐
５        巻き束
７        ホルダ
９        ホルダ台
１１      取手
１３      係合ピン（ストッパ）
１５      係合孔（ストッパ）
１７      アーム
１９      ガイド孔
【図１】
2005231652.tif 000003
【図２】
2005231652.tif 000004
【図３】
2005231652.tif 000005
【図４】
2005231652.tif 000006